(57)【特許請求の範囲】
【請求項１】
通信ネットワークにおいて接続を行う移動通信装置であって、
ホーム基地局に関連付けられたクローズド加入者グループ（ＣＳＧ）を識別する情報を受信する手段と、
前記受信された情報から前記ホーム基地局に関連付けられたＣＳＧを識別する手段と、
該移動通信装置が、前記ホーム基地局に関連付けられた前記識別されたＣＳＧのメンバーであるか否かを判断する手段と、
測定報告を含むと共に、前記判断する手段によって行なわれる判断の結果に依拠して、該移動通信装置が前記識別されたＣＳＧのメンバーであるか否かの指示を含むメッセージを生成する手段と、
前記生成されたメッセージを基地局へ送信する手段と、
を備える、移動通信装置。
【請求項２】
通信ネットワークにおいて複数の移動通信装置が接続可能である基地局であって、
該基地局と確立された接続を有する移動通信装置から、前記移動通信装置がホーム基地局に関連付けられたクローズド加入者グループ（ＣＳＧ）のメンバーであるか否かの指示を含む、測定報告を受信する手段と、
前記移動通信装置が前記ホーム基地局に関連付けられた前記ＣＳＧのメンバーであるか否かの前記指示に基づいて、前記確立された接続の前記ホーム基地局へのハンドオーバーを許可できるか否かを判断する手段と、
前記ハンドオーバーが許可できると判断されるか否かに依拠して、前記確立された接続の前記ホーム基地局へのハンドオーバーを開始する手段と、
を備える、基地局。
【請求項３】
通信ネットワークにおいて移動通信装置によって実行される方法であって、
ホーム基地局に関連付けられたクローズド加入者グループ（ＣＳＧ）を識別する情報を受信すること、
前記受信された情報から前記ホーム基地局に関連付けられたＣＳＧを識別すること、
前記移動通信装置が、前記ホーム基地局に関連付けられた前記識別されたＣＳＧのメンバーであるか否かを判断すること、
測定報告を含むと共に、前記判断する手段によって行なわれる判断の結果に依拠して、前記移動通信装置が前記識別されたＣＳＧのメンバーであるか否かの指示を含むメッセージを生成すること、及び
前記生成されたメッセージを基地局へ送信すること、
を含む、方法。
【請求項４】
通信ネットワークにおいて複数の移動通信装置が接続可能である基地局によって実行される方法であって、
前記基地局と確立された接続を有する移動通信装置から、該移動通信装置がホーム基地局に関連付けられたクローズド加入者グループ（ＣＳＧ）のメンバーであるか否かの指示を含む、測定報告を受信すること、
前記移動通信装置が前記ホーム基地局に関連付けられた前記ＣＳＧのメンバーであるか否かの前記指示に基づいて、前記確立された接続の前記ホーム基地局へのハンドオーバーを許可できるか否かを判断すること、及び
前記ハンドオーバーが許可できると判断されるか否かに依拠して、前記確立された接続の前記ホーム基地局へのハンドオーバーを開始すること、
を含む、方法。
【発明の詳細な説明】
【技術分野】
【０００１】
本発明は移動通信ネットワークに関し、排他的ではないが特に、３ＧＰＰ（第３世代パートナーシッププロジェクト）標準規格又はその等価物若しくは派生物に従って動作するネットワークに関する。本発明は、排他的ではないが特に、ホーム基地局へのアクセスの提供に関連し、より具体的には、ハイブリッドアクセスモードを用いて動作するホーム基地局のためのアクセス優先順位付けに関連する。
【０００２】
本出願は、２００９年４月２７日に出願された英国特許出願第０９０７１８７．９号に基づくと共に該特許出願からの利益又は優先権を主張する。該特許出願の開示は参照によりその全体が本明細書に援用される。
【背景技術】
【０００３】
３ＧＰＰ標準規格の下で、ＮｏｄｅＢ（又はＬＴＥにおいてはｅＮＢ）は、移動装置がコアネットワークに接続する際に経由する基地局である。最近では、３ＧＰＰ標準化団体は、公式のアーキテクチャを採用し、ホーム基地局（ＨＮＢ）のための新たな標準規格に対する取り組みを始めた。ホーム基地局がＬＴＥ（ロングタームエボリューション）標準規格に従って動作している場合、ＨＮＢはＨｅＮＢと呼ばれることがある。同様のアーキテクチャがＷｉＭＡＸ（マイクロ波アクセス世界的相互運用性）ネットワークにも適用される。この場合、ホーム基地局は一般にフェムトセルと呼ばれる。単純にするために、本出願ではＨＮＢという用語を用いて任意のそのようなホーム基地局を指し、ＮｏｄｅＢという用語を総称的に用いて他の基地局（ＨＮＢが動作するマクロセルの基地局等）を指す。ＨＮＢは自宅内の無線カバレッジ（たとえば３Ｇ／４Ｇ／ＷｉＭＡＸ）を提供し、適切な公衆ネットワークを介して（たとえばインターネットへのＡＤＳＬリンクを介して）コアネットワークへ接続し、３ＧＰＰ標準規格の場合は、通常いくつかのＨＮＢからのトラフィックを集約するオプションのＨＮＢゲートウェイ（ＨＮＢ−ＧＷ）を介してコアネットワークへ接続する。
【０００４】
ＨＮＢは複数のアクセスモード、すなわち、ＨＮＢがクローズド加入者グループ（ＣＳＧ）セルとして動作する「クローズド」アクセスモード、ＨＮＢがＣＳＧセルとして動作するが、同時に非メンバーもアクセスを許される「ハイブリッド」アクセスモード、及びＨＮＢが通常の（非ＣＳＧ）セルとして動作する「オープン」アクセスモードのうちの１つを用いて動作するように構成することができる。
【０００５】
ＨＮＢがハイブリッドアクセスモードにあり、かつＨＮＢリソースの不足に起因してＣＳＧメンバーにサービスを提供することができないとき、ＣＳＧセル経由の非メンバーの確立された通信は別のセルに転送される場合がある。さらに、非メンバーの確立された通信がＣＳＧメンバーに及ぼす影響を最小限に抑えるために、ネットワークによって、非メンバーの確立された通信のデータレートを低減することもできる。しかしながら、どの確立された接続がメンバーに属するか、どれが非メンバーに属するかを判断するために、特定の移動電話のＣＳＧメンバーシップステータスを確立する必要があることは、既に不足しているリソースに悪影響を及ぼす可能性がある。さらに、輻輳しているＨＮＢが新たな接続要求を受信するとき、そのＨＮＢは非メンバー装置からの要求を受け入れる場合があり、結果として、メンバー装置に対するサービスが望ましくないほど低下する場合があるか、又はその輻輳が非メンバー装置と確立された接続によって引き起こされているときに、利用可能なリソースの不足に起因して、メンバー装置からの要求が拒否される場合がある。
【発明の概要】
【発明が解決しようとする課題】
【０００６】
現在、ソースＨＮＢ／ＲＮＣに接続される移動電話のためのハンドオーバー要求をどのターゲットセルが受け入れる余地があるかに関して、ソースＨＮＢ（又はマクロセルの無線ネットワークコントローラー（ＲＮＣ））による判定を効率的に通知する方法はない。
【０００７】
当業者が効率的に理解するために、本発明は３Ｇシステムとの関連で詳細に説明されることになるが、本発明の原理は、システムの対応する要素を必要に応じて変更して、移動装置又はユーザー装置（ＵＥ）がいくつかの基地局のうちの１つと通信する他のシステム（ＷｉＭＡＸ等）にも適用することができる。
【０００８】
したがって、本発明の好ましい実施形態は、上記の問題を克服するか、又は少なくとも緩和する方法及び装置を提供することを目的とする。
【課題を解決するための手段】
【０００９】
本発明の１つの態様によれば、通信ネットワークにおいて接続を行う移動通信装置であって、
ホーム基地局に関連付けられたクローズド加入者グループ（ＣＳＧ）を識別する情報を受信する手段（たとえば受信機、送信機等）と、
前記受信された情報から前記ホーム基地局に関連付けられたＣＳＧを識別する手段（たとえば識別部、識別モジュール、プロセッサ等）と、
該移動通信装置が、前記ホーム基地局に関連付けられた前記識別されたＣＳＧのメンバーであるか否かを判断する手段（たとえば判断部、判断モジュール、プロセッサ等）と、
前記判断する手段によって行なわれる判断の結果に依拠して、該移動通信装置が前記識別されたＣＳＧのメンバーであるか否かの指示を含むメッセージを生成する手段と、
前記生成されたメッセージを送信する手段（送信機、送受信機等）と、
を備える、移動通信装置が提供される。
【００１０】
前記生成する手段によって生成される前記メッセージは接続要求メッセージ報告を含むことができ、前記送信する手段は前記メッセージを前記ホーム基地局に送信するように動作可能とすることができる。
【００１１】
前記生成する手段によって生成されるメッセージはＲＲＣ接続要求とすることができる。
【００１２】
前記制御する手段は、移動通信装置が前記ホーム基地局に関連付けられたＣＳＧのメンバーであると判断されるか否かに依拠して、確立された接続を隣接セルに転送することによってアクセスを制御するように動作可能とすることができる。
【００１３】
前記制御する手段は、前記移動通信装置が前記ホーム基地局に関連付けられたＣＳＧのメンバーであると判断されるか否かに依拠して、確立された接続のデータレートの低減を開始することによってアクセスを制御するように動作可能とすることができる。
【００１４】
前記制御する手段は、確立された接続が前記ホーム基地局に関連付けられたＣＳＧのメンバーであると判断された移動通信装置に属するか否かに依拠して、前記確立された接続のデータレートの低減を開始することによってアクセスを制御するように動作可能とすることができる。
【００１５】
前記制御する手段は、確立された接続が前記ホーム基地局に関連付けられたＣＳＧのメンバーであると判断された移動通信装置に属するか否かに依拠して、前記確立された接続を隣接セルに転送することによってアクセスを制御するように動作可能とすることができる。
【００１６】
前記生成する手段によって生成される前記メッセージは測定報告を含むことができ、前記送信する手段は前記メッセージをさらなるホーム基地局に送信するように動作可能であることができる。
【００１７】
本発明の別の態様によれば、関連付けられたクローズド加入者グループ（ＣＳＧ）を有し複数の移動通信装置が通信ネットワークにおいて接続可能であるホーム基地局であって、
移動通信装置から、該移動通信装置が、該ホーム基地局に関連付けられたＣＳＧのメンバーであるか否かの指示を含む、接続要求を受信する手段（たとえば受信機、送受信機等）と、
該ホーム基地局の輻輳レベルを監視し、該ホーム基地局が輻輳した状況にある時を指示する手段（たとえばモニター）と、
前記移動通信装置が該ホーム基地局に関連付けられたＣＳＧのメンバーである否かの前記指示から、接続を要求する前記移動通信装置が該ホーム基地局に関連付けられたＣＳＧのメンバーであるか否かを判断する手段（たとえば判断部、判断モジュール、プロセッサ等）と、
前記移動通信装置が該ホーム基地局に関連付けられたＣＳＧのメンバーであると判断されるか否かに依拠して、前記監視する手段が、該ホーム基地局が輻輳した状況にあることを指示するときに、該ホーム基地局へのアクセスを制御する手段（たとえばコントローラー、プロセッサ等）と、
を備える、ホーム基地局が提供される。
【００１８】
前記制御する手段は、前記移動通信装置が前記ホーム基地局に関連付けられたＣＳＧのメンバーであると判断されるか否かに依拠して、前記接続要求を拒否するか、許可するか、又は転送することによってアクセスを制御するように動作可能とすることができる。
【００１９】
制御処理において後に使用するために、前記移動通信装置が前記ホーム基地局に関連付けられたＣＳＧのメンバーであるか否かの指示を格納する手段（たとえばメモリ）をさらに備えることができる。
【００２０】
本発明の別の特徴によれば、関連付けられたクローズド加入者グループ（ＣＳＧ）を有し複数の移動通信装置が通信ネットワークにおいて接続可能であるホーム基地局であって、
複数の移動通信装置から、要求を行なう移動通信装置が該ホーム基地局に関連付けられたＣＳＧのメンバーであるか否かのそれぞれの指示を含む、接続要求を受信する手段（たとえば受信機、送受信機等）と、
要求を行なう各移動通信装置とそれぞれの接続を確立する手段（たとえば接続確立部）と、
前記移動通信装置が該ホーム基地局に関連付けられたＣＳＧのメンバーであるか否かの前記それぞれの指示に基づいて、確立された接続毎のメンバーシップステータスを指示する情報を格納する手段（たとえばメモリ）と、
該ホーム基地局の輻輳レベルを監視し、該ホーム基地局が輻輳した状況にある時を指示する手段（たとえばモニター）と、
前記監視する手段が、該ホーム基地局が輻輳した状況にあることを指示するときに、確立された接続毎の前記それぞれのメンバーシップステータスに依拠して、前記確立された接続を制御する手段（たとえばコントローラー、プロセッサ等）と、
を備える、ホーム基地局が提供される。
【００２１】
前記監視する手段が、前記ホーム基地局が輻輳した状況にあることを指示するとき、前記制御する手段は、確立された接続のそれぞれのメンバーシップステータスが、該接続が確立された前記移動通信装置が前記ＣＳＧのメンバーでないことを指示するときに、該確立された接続を転送することによって、前記確立された接続を制御するように動作可能とすることができる。
【００２２】
前記制御する手段は、確立された接続のそれぞれのメンバーシップステータスが、該接続が確立された前記移動通信装置が前記ＣＳＧのメンバーでないことを指示するときに、該確立された接続のリソースの低減を開始することによって、前記確立された接続を制御するように動作可能とすることができる。
【００２３】
本発明の別の態様によれば、関連付けられたクローズド加入者グループ（ＣＳＧ）を有し通信ネットワークにおいて複数の移動通信装置が接続可能であるホーム基地局であって、
前記ＣＳＧのメンバーでない移動通信装置が該ホーム基地局を介して接続するのを許可されるか否かを指示する情報を含むシステム情報を生成する手段と、
付近の移動通信装置に前記システム情報をブロードキャストする手段と、
該ホーム基地局の輻輳レベルを監視する手段（たとえばモニター）と、
を備え、
前記生成する手段は、前記輻輳レベルの変化に応答して、新たなシステム情報を生成するように動作可能であり、該システム情報において、前記ＣＳＧのメンバーでない移動通信装置が該ホーム基地局を介して接続するのを許可されるか否かを指示する情報は、
前記ＣＳＧのメンバーでない移動通信装置が接続するのを許可されることを指示する情報と、
前記ＣＳＧのメンバーでない移動通信装置が接続するのを許可されないことを指示する情報と、の間で変更され、
前記ブロードキャストする手段は、付近の移動通信装置に前記新たなシステム情報をブロードキャストするように動作可能である、ホーム基地局が提供される。
【００２４】
前記生成する手段は、前記輻輳レベルの上昇に応答して、新たなシステム情報を生成するように動作可能とすることができ、該システム情報において、前記ＣＳＧのメンバーでない移動通信装置が接続するのを許可されるか否かを指示する情報は、
前記ＣＳＧのメンバーでない移動通信装置が接続するのを許可されないことを指示する情報に変更される。
【００２５】
前記生成する手段は、前記輻輳レベルの低下に応答して、新たなシステム情報を生成するように動作可能とすることができ、該システム情報において、前記ＣＳＧのメンバーでない移動通信装置が前記ホーム基地局を介して接続するのを許可されないか否かを指示する情報は、
前記ＣＳＧのメンバーでない移動通信装置が接続するのを許可されないことを指示する情報に変更される。
【００２６】
本発明の別の態様によれば、関連付けられたクローズド加入者グループ（ＣＳＧ）を有すると共に複数のアクセスモードのいずれかにおいて動作可能であり、しかも通信ネットワークにおいて複数の移動通信装置が接続可能であるホーム基地局であって、
該ホーム基地局のための輻輳レベルを監視する手段（たとえばモニター）と、
前記輻輳レベルの変化に応答して、（ｉ）前記ＣＳＧのメンバーでない移動通信装置からの新たな接続が許可されるアクセスモードと、（ｉｉ）前記ＣＳＧのメンバーでない移動通信装置からの新たな接続が禁止されるアクセスモードとの間でアクセスモードを変更する手段と、
を備える、ホーム基地局が提供される。
【００２７】
前記アクセス変更手段は、前記輻輳レベルの上昇に応答して、前記ＣＳＧのメンバーでない移動通信装置からの新たな接続が禁止されるアクセスモードに変更するように動作可能とすることができる。
【００２８】
前記アクセス変更手段は、前記輻輳レベルの低下に応答して、前記ＣＳＧのメンバーでない移動通信装置からの新たな接続が許可されるアクセスモードに変更するように動作可能とすることができる。
【００２９】
本発明の別の態様によれば、通信ネットワークにおいて複数の移動通信装置が接続可能である通信ノードであって、
該通信ノードと確立された接続を有する移動通信装置から、該移動通信装置がホーム基地局に関連付けられたＣＳＧのメンバーであるか否かの指示を含む、測定報告を受信する手段（たとえば受信機、送受信機等）と、
前記移動通信装置が前記ホーム基地局に関連付けられた前記ＣＳＧのメンバーであるか否かの前記指示に基づいて、前記確立された接続の前記ホーム基地局へのハンドオーバーを許可できるか否かを判断する手段（たとえば判断部、判断モジュール、プロセッサ等）と、
前記ハンドオーバーが許可できると判断されるか否かに依拠して、前記確立された接続の前記ホーム基地局へのハンドオーバーを開始する手段（たとえば開始部、開始モジュール等）と、
を備える、通信ノードが提供される。
【００３０】
本発明の別の態様によれば、通信ネットワークにおいて接続を行う移動通信装置であって、
該移動通信装置がホーム基地局に関連付けられたＣＳＧのメンバーであるか否かの指示を含む測定報告を生成する手段と、
前記測定報告を別の基地局に送信する手段（たとえば送信機、送受信機等）と、を備える、移動通信装置が提供される。
【００３１】
本発明の別の態様によれば、通信ネットワークにおいて複数の移動通信装置が接続可能である通信ノードであって、
該通信ノードと確立された接続を有する移動通信装置から、ホーム基地局のアクセスモードを識別する情報を含む、測定報告を受信する手段（たとえば受信機、送受信機等）と、
ホーム基地局のアクセスモードを識別する前記情報に基づいて、別の確立された接続の前記ホーム基地局へのハンドオーバーを許可できるか否かを判断する手段（たとえば判断部、判断モジュール、プロセッサ等）と、
前記ハンドオーバーが許可できると判断されるか否かに依拠して、前記確立された接続、又は前記別の確立された接続の前記ホーム基地局へのハンドオーバーを開始する手段（開始部、開始モジュール等）と、
を備える、通信ノードが提供される。
【００３２】
本発明の別の態様によれば、通信ネットワークにおいて接続を行う移動通信装置であって、
ホーム基地局のためのアクセスモードを識別する情報を含む測定報告を生成する手段と、
前記測定報告を別の基地局に送信する手段（たとえば送信機、送受信機等）と、
を備える、移動通信装置が提供される。
【００３３】
本発明の別の態様によれば、通信ネットワークにおいて複数の移動通信装置が接続可能である通信ノードであって、
ホーム基地局のアクセスモードを識別する情報を該ホーム基地局とのインターフェースを介して受信する手段（たとえば受信機、送受信機等）と、
前記ホーム基地局のアクセスモードを識別する前記情報に基づいて、確立された接続の前記ホーム基地局へのハンドオーバーを許可できるか否かを判断する手段（たとえば判断部、判断モジュール、プロセッサ等）と、
前記ハンドオーバーが許可できると判断されるか否かに依拠して、前記確立された接続の前記ホーム基地局へのハンドオーバーを開始する手段（たとえば開始部、開始モジュール等）と、
を備える、通信ノードが提供される。
【００３４】
本発明の別の態様によれば、通信ネットワークにおいて移動通信装置によって実行される方法であって、
ホーム基地局に関連付けられたクローズド加入者グループ（ＣＳＧ）を識別する情報を受信すること、
前記受信された情報から前記ホーム基地局に関連付けられたＣＳＧを識別すること、
前記移動通信装置が、前記ホーム基地局に関連付けられた前記識別されたＣＳＧのメンバーであるか否かを判断すること、
前記判断する手段によって行なわれる判断の結果に依拠して、前記移動通信装置が前記識別されたＣＳＧのメンバーであるか否かの指示を含むメッセージを生成すること、及び
前記生成されたメッセージを送信すること、
含む、方法が提供される。
【００３５】
本発明の別の態様によれば、関連付けられたクローズド加入者グループ（ＣＳＧ）を有し複数の移動通信装置が通信ネットワークにおいてホーム基地局を介して接続可能である該ホーム基地局によって実行される方法であって、該方法は、
移動通信装置から、該移動通信装置が、前記ホーム基地局に関連付けられたＣＳＧのメンバーであるか否かの指示を含む、接続要求を受信すること、
前記ホーム基地局の輻輳レベルを監視し、該ホーム基地局が輻輳した状況にある時を指示すること、
前記移動通信装置が前記ホーム基地局に関連付けられたＣＳＧのメンバーであるか否かの前記指示から、接続を要求する前記移動通信装置が前記ホーム基地局に関連付けられたＣＳＧのメンバーであるか否かを判断すること、及び
前記移動通信装置が前記判断するステップにおいて前記ホーム基地局に関連付けられたＣＳＧのメンバーであると判断されるか否かに依拠して、前記指示するステップにおいて輻輳した状況が指示されるときに、前記ホーム基地局へのアクセスを制御すること、
を含む、方法が提供される。
【００３６】
本発明の別の態様によれば、関連付けられたクローズド加入者グループ（ＣＳＧ）を有し通信ネットワークにおいて複数の移動通信装置が接続可能であるホーム基地局によって実行される方法であって、該方法は、
複数の移動通信装置から、要求を行なう該移動通信装置が前記ホーム基地局に関連付けられたＣＳＧのメンバーであるか否かのそれぞれの指示を含む、接続要求を受信すること、
要求を行なう各移動通信装置とそれぞれの接続を確立すること、
前記移動通信装置が前記ホーム基地局に関連付けられたＣＳＧのメンバーであるか否かの前記それぞれの指示に基づいて、確立された接続毎のメンバーシップステータスを指示する情報を格納すること、
前記ホーム基地局のための輻輳レベルを監視すると共に、該ホーム基地局が輻輳した状況にある時を指示すること、及び
前記監視する手段が、前記ホーム基地局が輻輳した状況にあることを指示するときに、確立された接続毎の前記それぞれのメンバーシップステータスに依拠して、前記確立された接続を制御すること、
含む、方法が提供される。
【００３７】
本発明の別の態様によれば、関連付けられたクローズド加入者グループ（ＣＳＧ）を有し通信ネットワークにおいて複数の移動通信装置が接続可能であるホーム基地局によって実行される方法であって、該方法は、
前記ＣＳＧのメンバーでない移動通信装置が前記ホーム基地局を介して接続するのを許可されるか否かを指示する情報を含むシステム情報を生成すること、
付近の移動通信装置に前記システム情報をブロードキャストすること、
前記ホーム基地局のための輻輳レベルを監視すること、及び
前記輻輳レベルの変化に応答して新たなシステム情報を生成すること、を含み、
前記システム情報において、前記ＣＳＧのメンバーでない移動通信装置が前記ホーム基地局を介して接続するのを許可されるか否かを指示する情報は、
前記ＣＳＧのメンバーでない移動通信装置が接続するのを許可されることを指示する情報、及び
前記ＣＳＧのメンバーでない移動通信装置が接続するのを許可されないことを指示する情報、の間で変更され、
さらに、付近の移動通信装置に前記新たなシステム情報をブロードキャストすること、を含む。
【００３８】
本発明の別の態様によれば、関連付けられたクローズド加入者グループ（ＣＳＧ）を有すると共に複数のアクセスモードのいずれかにおいて動作可能であり、しかも通信ネットワークにおいて複数の移動通信装置がホーム基地局を介して接続可能であるホーム基地局によって実行される方法であって、該方法は、
前記ホーム基地局のための輻輳レベルを監視すること、及び
前記輻輳レベルの変化に応答して、（ｉ）前記ＣＳＧのメンバーでない移動通信装置からの新たな接続が許可されるアクセスモードと、（ｉｉ）前記ＣＳＧのメンバーでない移動通信装置からの新たな接続が禁止されるアクセスモードとの間でアクセスモードを変更すること、
を含む、方法が提供される。
【００３９】
本発明の別の態様によれば、通信ネットワークにおいて複数の移動通信装置が接続可能である通信ノードによって実行される方法であって、
前記通信ノードと確立された接続を有する移動通信装置から、該移動通信装置がホーム基地局に関連付けられたＣＳＧのメンバーであるか否かの指示を含む、測定報告を受信すること、
前記移動通信装置が前記ホーム基地局に関連付けられた前記ＣＳＧのメンバーであるか否かの前記指示に基づいて、前記確立された接続の前記ホーム基地局へのハンドオーバーを許可できるか否かを判断すること、及び
前記ハンドオーバーが許可できると判断されるか否かに依拠して、前記確立された接続の前記ホーム基地局へのハンドオーバーを開始すること、
を含む、方法が提供される。
【００４０】
本発明の別の態様によれば、通信ネットワークにおいて移動通信装置によって実行される方法であって、
前記移動通信装置がホーム基地局に関連付けられたＣＳＧのメンバーであるか否かの指示を含む測定報告を生成すること、及び
前記測定報告を別の基地局に送信すること、
を含む、方法が提供される。
【００４１】
本発明の別の態様によれば、通信ネットワークにおいて複数の移動通信装置が接続可能である通信ノードによって実行される方法であって、
前記通信ノードと確立された接続を有する移動通信装置から、ホーム基地局のアクセスモードを識別する情報を含む、測定報告を受信すること、
ホーム基地局のアクセスモードを識別する前記情報に基づいて、別の確立された接続の前記ホーム基地局へのハンドオーバーを許可できるか否かを判断すること、及び
前記ハンドオーバーが許可できると判断されるか否かに依拠して、前記確立された接続、又は前記別の確立された接続の前記ホーム基地局へのハンドオーバーを開始すること、
を含む、方法が提供される。
【００４２】
本発明の別の態様によれば、通信ネットワークにおいて移動通信装置によって実行される方法であって、
ホーム基地局のためのアクセスモードを識別する情報を含む測定報告を生成すること、及び
前記測定報告を別の基地局に送信すること、
を含む、方法が提供される。
【００４３】
本発明の別の態様によれば、通信ネットワークにおいて複数の移動通信装置が接続可能である通信ノードによって実行される方法であって、
ホーム基地局のアクセスモードを識別する情報を該ホーム基地局とのインターフェースを介して受信すること、
前記ホーム基地局のアクセスモードを識別する前記情報に基づいて、確立された接続の前記ホーム基地局へのハンドオーバーを許可できるか否かを判断すること、及び
前記ハンドオーバーが許可できると判断されるか否かに依拠して、前記確立された接続の前記ホーム基地局へのハンドオーバーを開始すること、
を含む、方法が提供される。
【００４４】
ここで、本発明の実施の形態を、例として、添付の図面を参照しながら説明する。
【図面の簡単な説明】
【００４５】
【図１】本発明の実施形態が適用可能であるタイプの移動通信システムを示す概略図である。
【図２】図１に示されるシステムの一部を形成する移動電話のブロック図である。
【図３】図１に示されるシステムの一部を形成するホーム基地局のブロック図である。
【図４】図１のシステムの種々の実施態様の動作を示す流れ図である。
【図５】図１のシステムの種々の実施態様の動作を示す流れ図である。
【図６】図１のシステムの種々の実施態様の動作を示す流れ図である。
【図７】図１のシステムの種々の実施態様の動作を示す流れ図である。
【図８】図１のシステムの種々の実施態様の動作を示す流れ図である。
【図９】図１のシステムの種々の実施態様の動作を示す流れ図である。
【図１０】図１のシステムの種々の実施態様の動作を示す流れ図である。
【図１１】図１のシステムの種々の実施態様の動作を示す流れ図である。
【図１２】図１のシステムの種々の実施態様の動作を示す流れ図である。
【発明を実施するための形態】
【００４６】
概説
図１は、移動（セルラー）通信システム１を概略的に示しており、そのシステムでは、移動電話（ＭＴ）３のユーザーが、アクセスするのを許される場合がある「ホーム」基地局（ＨＮＢ）に基づくセル９から離れているときに、３Ｇ無線アクセスネットワーク（ＲＡＮ）基地局５のセル、無線ネットワークコントローラー（ＲＮＣ）７及びコア電話網８を介して、他のユーザー（図示せず）と通信することができる。通信システム１において、ユーザーは、ＨＮＢに基づくセル９内にいるときに、ＨＮＢ１１のセル９、公衆データネットワーク（この場合、インターネット１３）、ホーム基地局ゲートウエイ（ＨＮＢ−ＧＷ）１５及びコア電話網８を介して、他のユーザー（図示せず）と通信することもできる。ＨＮＢ１１は通常、ＡＤＳＬ（非対称デジタル加入者回線）又はケーブル接続１６のような適切なインターネット接続を介してそれぞれのＨＮＢ−ＧＷ１５に接続し、それぞれのＨＮＢ−ＧＷ１５を介して全てのアップリンク通信が送信されるように、ＨＮＢ−ＧＷ１５のＩＰアドレスをプログラミングされる。
【００４７】
ＨＮＢ１１は、ＨＮＢ１１に関連付けられたクローズド加入者グループ（ＣＳＧ）のメンバーのみがアクセスを許される「クローズド」モード、ＨＮＢ１１に関連付けられたＣＳＧのメンバー及び非メンバーの両方がアクセスを許される「ハイブリッド」モード、及びＨＮＢ１１が、関連付けられたＣＳＧを有しない通常の（非ＣＳＧ）セルとして動作する「オープン」モードを含む、複数のアクセスモードのうちの１つを用いて動作するように構成される。
【００４８】
当業者であれば理解するように、各ＨＮＢ１１は、複数の異なる移動電話３と通信することができる。任意の数のＨＮＢに基づくセル９が存在することができること、及び同じＨＮＢ−ＧＷ１５を複数のＨＮＢ１１によって共用することができることはさらに理解されよう。
【００４９】
移動電話
図２は、図１に示す移動電話３の主要構成要素を概略的に示している。図示されるように、移動電話３は、１つ又は複数のアンテナ２５を介してＲＡＮ基地局５又はＨＮＢ１１に対し信号を送受信するように動作可能な送受信機回路部２３を備える。図示されるように、移動電話３は、該移動電話３の動作を制御するコントローラー２７も備え、該コントローラー２７は、送受信機回路２３、並びにラウドスピーカ２９、マイクロフォン３１、ディスプレイ３３、及びキーパッド３５に接続される。コントローラー２７はメモリ３７内に記憶されるソフトウェア命令に従って動作する。図示されるように、これらのソフトウェア命令には、中でも、オペレーティングシステム３９、移動電話登録モジュール４１、及びＣＳＧ管理モジュール４３が含まれる。
【００５０】
この実施形態では、移動電話登録モジュール４１は、移動電話３がそのＨＮＢ１１の範囲内にいるときに、ホーム基地局１１を選択できるようにする。ＣＳＧ管理モジュール４３は、移動電話３がメンバーであるＣＳＧの詳細を含む少なくとも１つのＣＳＧリスト４５を保持する（たとえば、運用者によって管理される「許可ＣＳＧリスト」及び／又はユーザーによって管理される「ユーザーＣＳＧリスト」）。
【００５１】
ホーム基地局１１の選択は自動的に制御することができ、ユーザーによって手動で制御することもできること、及びＣＳＧリスト４５は、移動電話３のメモリ３７に、及び／又は汎用加入者識別モジュール（ＵＳＩＭ）（図示せず）に格納することもできることは理解されよう。
【００５２】
後にさらに詳細に説明されるように、接続のために選択されたＨＮＢ１１がハイブリッドアクセスモードにおいて動作しており、かつ移動電話３がそのメンバーである関連付けられたＣＳＧを有するとき、移動電話３の移動電話登録モジュール４１は、ＨＮＢ１１への接続を開始するための接続要求（たとえば、ＲＮＣ接続要求）を生成するように動作可能であり、その要求は、移動電話３が当該ＨＮＢ１１に対するクローズド加入者グループのメンバーであるか否かを識別する情報を含む。
【００５３】
ホーム基地局
図３は、図１に示すホーム基地局（ＨＮＢ）１１の主要構成要素を示すブロック図である。図示されるように、ＨＮＢ１１は、１つ又は複数のアンテナ５３を介して移動電話３に対し信号を送受信するように動作可能であり、かつＨＮＢ−ＧＷインターフェース５５を介してＨＮＢ−ＧＷ１５に対し信号を送受信するように動作可能な送受信機回路部５１を備える。送受信機回路部５１の動作は、メモリ５９内に記憶されているソフトウェアに従ってコントローラー５７によって制御される。このソフトウェアには、中でも、オペレーティングシステム６１、基地局登録モジュール６３、移動電話登録モジュール６５、接続管理モジュール６７、システム情報モジュール６８、及びＣＳＧ管理モジュール６９が含まれる。
【００５４】
基地局登録モジュール６３は、ＨＭＢをＨＮＢ−ＧＷ１５に登録するように動作可能であり、移動電話登録モジュール６５は、移動電話３をＨＮＢ１１及びＨＮＢ−ＧＷ１５に登録するように動作可能である。接続管理モジュール６７は、ＨＮＢ１１のセル９にキャンプオンする移動電話の接続を管理するように動作可能である。システム情報モジュール６８は、セル９に関連するシステム情報を、付近の移動電話３にブロードキャストするように動作可能である。ＣＳＧ管理モジュール６９は、ＣＳＧアクセスモードのうちの１つ（「クローズド」、「ハイブリッド」又は「オープン」）の下で動作するようにＨＮＢ１１を構成するために、かつＨＮＢ１１に関連付けられたＣＳＧを設定するために動作可能である。
【００５５】
後にさらに詳細に説明されるように、移動電話登録モジュール６５は、ハイブリッドアクセスモードにおいて動作しているときに、ＨＮＢ１１に関連付けられたＣＳＧのメンバーである移動電話３が、メンバーでない（非ＣＳＧ）移動電話３に比べて優先的なアクセスを与えられるように、移動電話３によって試みられる登録を管理するように動作可能である。接続管理モジュール６７は、非ＣＳＧ移動電話に比べて、ＨＮＢ１１に関連付けられたＣＳＧのメンバーである移動電話３に対して優先的な接続条件を与えることができるように、確立される接続を監視し、管理するように動作可能である。
【００５６】
上記の説明において、移動電話３及びホーム基地局１１は、理解しやすくするために、複数の別々のモジュール（基地局／移動電話登録モジュール、パラメーター制御モジュール、及び接続／ＣＳＧ管理モジュール）を有するものとして説明される。或る特定の応用例、たとえば、本発明を実施するために既存のシステムが変更された場合には、これらのモジュールはこのようにして設けられてもよいが、他の応用例、たとえば、最初から本発明の機構を念頭において設計されるシステムでは、これらのモジュールはオペレーティングシステム又はコード全体の中に組み込むことができるので、これらのモジュールは別々の実体として区別可能でない場合もある。
【００５７】
例示的な実施態様
ここで、例示的な実施態様を、例として、図１に示される通信システム１の種々の構成要素の動作及び図４〜図１２の流れ図を参照しながら説明する。
【００５８】
（１）アイドルモードにあるＵＥのための接続確立
図４〜図６は、移動電話３がアイドル状態／モードにおいて開始し、その後、ＨＮＢ１１への接続を要求する図１の通信システムの例示的な実施態様の動作を示す。
【００５９】
アクセスモードコンフィギュレーション及びブロードキャスト
図４に示されるように、ＨＮＢ１１のＣＳＧ管理モジュール６９は、ステップ１００において示されるように、ＣＳＧアクセスモードのうちの１つ（「クローズド」、「ハイブリッド」又は「オープン」）の下で動作するようにＨＮＢ１１を構成するために、かつＨＮＢ１１に関連付けられたＣＳＧを設定するために（ハイブリッド又はクローズドＣＳＧアクセスモードが構成される場合）動作可能である。
【００６０】
ＨＮＢ１１のためのＣＳＧアクセスモードが構成され、ＣＳＧが設定された後に、システム情報モジュール６８は、適切な時点で、ＨＮＢ１１のＣＳＧアクセスモードを識別する情報を含むシステム情報を、付近の移動電話３にブロードキャストするように動作可能である（ステップ１０２）。
【００６１】
ＣＳＧアクセスモードを識別する情報は通常、アクセスモードに応じて、以下のように、ＨＮＢ１１がクローズドＣＳＧアクセスモードにおいて動作しているか否かを識別するためのＣＳＧインジケーター（又はＣＳＧ指示）情報要素（ＩＥ）／フラグ、及びＨＮＢ１１のために設定されたＣＳＧを識別するためのＣＳＧ識別情報要素を含む。
ＨＮＢがオープンアクセスモードにおいて動作している場合には、ＣＳＧインジケーター（又はＣＳＧ指示）ＩＥはＦＡＬＳＥに設定されることになり（又は単に存在しなくなり）、ＣＧＳ識別ＩＥは、ＣＳＧアクセスモードを識別する情報に含まれないことになる。
ＨＮＢがハイブリッドアクセスモードにおいて動作している場合には、同じく、ＣＳＧインジケーター（又はＣＳＧ指示）ＩＥはＦＡＬＳＥに設定されることになる（又は単に存在しなくなる）が、この場合、関連付けられたＣＳＧのＣＳＧ識別ＩＥは、ＣＳＧアクセスモードを識別する情報に含まれることになる。
ＨＮＢがクローズドアクセスモードにおいて動作している場合には、ＣＳＧインジケーター（又はＣＳＧ指示）ＩＥはＴＲＵＥに設定されることになり、関連付けられたＣＳＧのＣＳＧ識別ＩＥは、ＣＳＧアクセスモードを識別する情報に含まれることになる。
【００６２】
接続要求開始
図５に示されるように、移動電話３は、アイドルモードにおいて、その移動電話が位置するセル９のＨＮＢ１１によってブロードキャストされるシステム情報を受信し、そのシステム情報をブロードキャストしているＨＮＢ１１のＣＳＧアクセスモードを識別する情報を抽出する（読み取る）ように動作可能である（ステップ２００）。移動電話３のＣＳＧ管理モジュール４３は、抽出された情報から、ＨＮＢ１１のＣＳＧアクセスモードを判断するように動作可能である（ステップ２０２）。
【００６３】
ＣＳＧ管理モジュール４３はさらに、ＣＳＧアクセスモードがクローズド又はハイブリッドアクセスモードであると判断された場合には、そのＣＳＧがＣＳＧリスト内に示されるか否か（ステップ２０４及び２０６）、それゆえ、移動電話３がその加入者グループのメンバーであるか否かを判断するように動作可能である。
【００６４】
オープンアクセスモード
ＣＳＧアクセスモードがオープンアクセスモードである場合には、ＨＮＢに関連付けられたＣＳＧは存在しない。したがって、接続が要求されるとき、移動電話３の移動電話登録モジュール４１は、ＨＮＢ１１に送信するための接続要求を生成するように動作可能であり（２０８）、当業者であれば理解するように、その接続過程は、通常の（非ＣＳＧ）基地局に接続するために通常通りに進行する。
【００６５】
クローズドアクセスモード
アクセスモードがクローズドアクセスモードであり、移動電話３がＨＮＢ１１に関連付けられたＣＳＧのメンバーでない場合には（２０９）、移動電話３は、そのＨＮＢ１１に接続しようと試みない。そうではなく、接続が要求され、移動電話３がＣＳＧのメンバーであると判断されるとき、移動電話登録モジュール４１は、ＨＮＢ１１に送信するための接続要求を生成するように動作可能であり（２１０）、当業者であれば理解するように、その接続過程は、クローズドアクセスモードにおいて動作しているホーム基地局に接続するために通常通りに進行する。
【００６６】
ハイブリッドアクセスモード
アクセスモードがハイブリッドアクセスモードである場合において、接続が要求されるときに、移動電話登録モジュール４１は、同じく、ＨＮＢ１１に送信するための接続要求を生成するように動作可能である（ステップ２１２ａ及び２１２ｂ）。移動電話３が、ＨＮＢ１１に関連付けられたＣＳＧのメンバーであると識別されたとき、移動電話登録モジュール４１は、加入者グループの移動電話のメンバーシップを指示するためのフラグとしての役割を果たすＣＳＧメンバーシップ情報要素を含む（又は、ＣＳＧメンバーシップフラグが特定の値、たとえば、「ＴＲＵＥ」に設定される）要求を生成する（ステップ２１２ａ）。対照的に、ステップ２１２ｂでは、移動電話３がＨＮＢ１１に関連付けられたＣＳＧのメンバーでないと判断されたとき、移動電話登録モジュール４１は、ＣＳＧメンバーシップフラグを含まない（又は、ＣＳＧメンバーシップフラグが異なる値、たとえば、「ＦＡＬＳＥ」に設定される）要求を生成する。
【００６７】
移動電話３は、生成された要求を該移動電話３の送受信機回路２３及びアンテナ２５を介してＨＮＢ１１に送信するように動作可能である。
【００６８】
ハイブリッドモードにおける新たな接続要求のハンドリング
図６に示されるように、ＨＮＢ１１（ハイブリッドアクセスモードにおいて動作している）は、そのアンテナ５３及び送受信機回路５１を介して接続要求を受信するように動作可能である（ステップ３００）。
【００６９】
ＨＮＢ１１の移動電話登録モジュール６５は、たとえば、任意の既存の接続の性質について接続管理モジュール６７から受信される情報、及び／又は接続しようと試みる任意の他の移動電話についての情報に基づいて、ＨＮＢ１１が輻輳した状況にある（たとえば、ＨＮＢ１１のリソースが不足している）か否かを確認するように動作可能である（ステップ３０２）。
【００７０】
移動電話登録モジュール６５はさらに、ＣＳＧメンバーシップ指示フラグの存否を識別する（及び／又はその値を求める）ように、それゆえ、接続要求を発信した移動電話３がＨＮＢ１１に関連付けられたＣＳＧのメンバーであるか否かを判断するように動作可能である（ステップ３０４）。
【００７１】
ＨＮＢ１１の移動電話登録モジュール６５は、ＨＮＢ１１が輻輳した状況にあるか否か（ステップ３０２）、及び移動電話３がＣＳＧのメンバーであるか否か（ステップ３０４）に依拠して、以下のように、接続要求に応答するように動作可能である。
（ａ）ＨＮＢ１１が輻輳した状況にない場合には、ＣＳＧメンバーシップにかかわらず、その接続は許可される（任意の他の通常の接続合否判定基準にかけられる）（ステップ３０６）。
（ｂ）ＨＮＢ１１が輻輳した状況にあり、かつ移動電話３がＣＳＧのメンバーでない場合には、その接続は拒否されるか、又は別のセル（ＨＮＢ１１の隣接セル９又はマクロセル）に転送される（ステップ３０８）。
（ｃ）ＨＮＢ１１が輻輳した状況にあり、かつ移動電話３がＣＳＧのメンバーである場合には、その接続は許可される（任意の他の通常の接続合否判定基準にかけられる）（ステップ３１０）。
【００７２】
上記のように、接続管理モジュール６７は、確立された接続を監視し、管理するように動作可能である。より詳細には、接続管理モジュール６７は、確立された接続のためのメンバーシップ詳細（たとえば、ＣＳＧメンバーシップフラグ、又はＣＳＧメンバーシップを導出することができる他のデータ）を格納し、
（ａ）非メンバー移動電話３（接続されている場合）の別のセル（たとえば、ＨＮＢ１１の隣接するセル９又はマクロセル）へのリロケーションを開始することによって、及び／又は
（ｂ）非メンバー移動電話３（接続されている場合）と確立された接続のデータレートの低減を開始することによって、
メンバー移動電話３との新たな接続を優先的に確立するのを助けるように動作可能である（ステップ３１２）。
【００７３】
したがって、図４〜図６を参照しながら説明された実施態様は、接続要求を発信する移動電話３が装置に関連付けられたＣＳＧのメンバーであるか否かに依拠して、輻輳しているＨＮＢ１１が、どの接続要求が許可されるべきであるか、及びどれが拒否されるべきであるかを判断することができる効率的な仕組みを提供する。また、その実施態様によれば、輻輳しているＨＮＢ１１は、非メンバー装置をリダイレクトするか、又はそのデータレートの低減を開始することによって、メンバー装置に優先的な接続条件を与えることができるようにする。
【００７４】
（２）確立された接続を有するＵＥのための接続管理
図７は、図１の通信システム１の例示的な実施態様の動作を示し、ここでＨＮＢ１１は複数の確立された接続を有する。
【００７５】
ハイブリッドモードにおける確立された接続要求のハンドリング
図６を参照しながら説明されたように、接続管理モジュール６７は、確立された接続のためのメンバーシップ詳細（たとえば、ＣＳＧメンバーシップフラグ、又はＣＳＧメンバーシップを導出することができる他のデータ）を格納するように動作可能である。図７に示されるように、接続管理モジュール６７はさらに、輻輳のレベルを監視するように動作可能であり（ステップ４００及び４０２）、ＨＮＢ１１が輻輳していない状況から輻輳した状況に入るときに、格納されたＣＳＧメンバーシップ情報から非メンバー接続を識別するように動作可能である（ステップ４０４）。さらに、接続管理モジュール６７は、
（ａ）非メンバー移動電話３（接続されている場合）の別のセル（たとえば、ＨＮＢ１１の隣接するセル９又はマクロセル）へのリロケーションを開始することによって、及び／又は
（ｂ）非メンバー移動電話３（接続されている場合）と確立された接続のデータレートの低減を開始することによって、
確立された接続を有するメンバー移動電話３に優先的なアクセスを提供するのを助けるように動作可能である（ステップ４０６）。
【００７６】
図７に示される実施態様は、図４〜図６に示される実施態様と相補的であり、その実施態様と共に、又はそれとは別に実施することができることは理解されよう。
【００７７】
したがって、図７を参照しながら説明された実施態様は、輻輳しているＨＮＢ１１が、非メンバー装置をリダイレクトすることによって、又はそのデータレートの低減を開始することによって、確立された接続を有するメンバー装置に対して優先的な接続条件を与えることができる効率的な仕組みを提供する。
【００７８】
（３）非メンバーからの接続要求の禁止−ＣＳＧアクセスモードの変更
図８は、図１の通信システム１の別の例示的な実施態様の動作を示しており、接続要求内にＣＳＧメンバーシップフラグを与えることを必要とすることなく、非メンバー移動電話３からの新たな接続要求が抑止される。
【００７９】
図８に示される実施態様によれば、ＨＮＢ１１は、輻輳を監視し、輻輳のレベルを監視するように動作可能である（ステップ５００及び５０２）。ＨＮＢ１１のＣＳＧ管理モジュール６９は、ハイブリッドアクセスモードからクローズドアクセスモードにアクセスモードを変更することによって、非輻輳状態から輻輳状態への変化に応答するように構成される（ステップ５０４）。システム情報モジュール６８は、ＨＮＢ１１の新たなクローズドＣＳＧアクセスモードを識別する情報（ＴＲＵＥに設定されるＣＳＧインジケーター／指示ＩＥ）を含むシステム情報を、概ね直ちに、又はその通常のブロードキャストサイクルに従って次の適切な時点において、及びその後の適切な時間間隔で、付近の移動電話３にブロードキャストするように動作可能である（ステップ５０６）。
【００８０】
この実施態様による移動電話３（アイドルモード時）は、新たにブロードキャストされたシステム情報を受信し、概ね図５を参照しながら（ステップ２００、２０２及び２１０に関して）説明されたようにして、その情報に対し機能するように動作可能である。
【００８１】
したがって、移動電話３は、アイドルモード時に、その移動電話が位置するセル９のＨＮＢ１１によってブロードキャストされるシステム情報を受信し、そのシステム情報をブロードキャストするＨＮＢ１１のＣＳＧアクセスモードを識別する情報を抽出する（読み取る）ように動作可能である。移動電話３のＣＳＧ管理モジュール４３は、抽出された情報から、ＨＮＢ１１のＣＳＧアクセスモードを判断するように動作可能である。ＣＳＧアクセスモードがクローズドアクセスモードであると判断すると、ＣＳＧ管理モジュール４３はさらに、関連付けられたＣＳＧがＣＳＧリスト４５内に示されるか否か、それゆえ、移動電話３がその加入者グループのメンバーであるか否かを判断するように動作可能である。
【００８２】
移動電話３がＨＮＢ１１に関連付けられたＣＳＧのメンバーでない場合には、移動電話３は、ＨＮＢ１１に接続しようと試みない。そうではなく、接続が要求され、移動電話３がＣＳＧのメンバーであると判断されるとき、移動電話登録モジュール４１は、ＨＮＢ１１に送信するための接続要求を生成するように動作可能であり、その接続過程は、当業者であれば理解するように、クローズドアクセスモードにおいて動作するホーム基地局に接続するために概ね通常通りに進行する。
【００８３】
ＨＮＢ１１はさらに、アクセスモードの変更後に輻輳を監視し続け、輻輳のレベルを監視するように動作可能である（ステップ５０７及び５０８）。ＨＮＢ１１のＣＳＧ管理モジュール６９は、クローズドアクセスモードからハイブリッドアクセスモードにアクセスモードを変更することによって、輻輳状態から非輻輳状態への変化に応答するように構成される（ステップ５１０）。システム情報モジュール６８は、ＨＮＢ１１のハイブリッドＣＳＧアクセスモードへの復帰を識別する情報（ＦＡＬＳＥに設定されるＣＳＧインジケーター／指示ＩＥ）を含むシステム情報を、付近の移動電話３にブロードキャストするように動作可能である（それは、概ね直ちに行うこともでき、通常のブロードキャストサイクルに従って別の適切な時点で行なうこともできる）（ステップ５１２）。
【００８４】
移動電話３は、アイドルモード時に、ＨＮＢ１１によってブロードキャストされる（ハイブリッドモードに戻ることを示す）システム情報を受信し、該情報をブロードキャストするＨＮＢ１１のＣＳＧアクセスモードを識別する情報を抽出する（読み取る）ように動作可能である。移動電話３のＣＳＧ管理モジュール４３は、抽出された情報から、ＨＮＢ１１のＣＳＧアクセスモードを判断するように動作可能である。ＣＳＧアクセスモードがハイブリッドモードであると判断すると、移動電話の移動電話登録モジュール４１は、接続が要求されるときに、ＨＮＢ１１に送信するための接続要求を生成するように動作可能であり、その後、その接続要求はＨＮＢ１１によって受け入れられる（任意の他の接続判定基準にかけられる）。
【００８５】
それに応じて、ＨＮＢ１１が輻輳した状況に入るときに、都合の良いことには、ＣＳＧメンバーシップフラグを必要とすることなく、ＨＮＢ１１のアクセスモードがハイブリッドモードであると識別したときに移動電話３がＣＳＧメンバーシップを判断することを必要とすることなく、かつ接続要求を行なう装置のメンバーシップをＨＮＢ１１が解析することを必要とすることなく、非メンバー移動電話３からの新たな接続要求が抑止される。同様に、ＨＮＢ１１の輻輳が緩和されるときに、非メンバー移動電話３からの新たな接続要求はもはや抑止されず、それゆえ、非メンバーは、再び接続するのを許可される。
【００８６】
（４）非メンバーからの接続要求の禁止−ＣＳＧアクセスモードの保持
図９は、図１の通信システム１の別の例示的な実施態様の動作を示しており、接続要求内にＣＳＧメンバーシップフラグを与えることを必要とすることなく、そして、この実施態様では、ＣＳＧアクセスモードの変更を必要とすることなく、非メンバー移動電話３からの新たな接続要求が抑止される。
【００８７】
図９に示される実施態様によれば、ＨＮＢ１１は、輻輳を監視し、輻輳のレベルを監視するように動作可能である（ステップ６００及び６０２）。ＨＮＢ１１のＣＳＧ管理モジュール６９は、ＣＳＧに関連付けられたシステム情報を変更して、新たな接続がメンバー移動電話３のみに制限されることを指示するための「ＣＳＧメンバー専用」（又は「ＣＳＧメンバーのみ許可」）フラグを含む（又はそのフラグを「ＴＲＵＥ」に設定する）ことによって、非輻輳状態から輻輳状態への変化に応答するように構成される（ステップ６０４）。システム情報モジュール６８は、ＣＳＧメンバー専用フラグ及びＨＮＢ１１のＣＳＧアクセスモードを識別する情報を含むシステム情報を、概ね直ちに、又はその通常のブロードキャストサイクルに従って次の適切な時点で、及びその後の適切な時間間隔で、付近の移動電話３にブロードキャストするように動作可能である（ステップ６０４）。
【００８８】
移動電話３は、アイドルモード時に、ＨＮＢ１１によってブロードキャストされるシステム情報を受信し、ＣＳＧアクセスモードを識別する情報と共にＣＳＧメンバー専用フラグを抽出する（読み取る）ように動作可能である。移動電話３のＣＳＧ管理モジュール４３は、抽出された情報から、ＨＮＢ１１のＣＳＧアクセスモードを識別するときに、アクセスがメンバーのみに制限されるか否かを判断するように動作可能である。ＣＳＧアクセスモードがハイブリッドモードであり、かつアクセスがメンバーのみに制限されると判断すると、ＣＳＧ管理モジュール４３は、関連付けられたＣＳＧがＣＳＧリスト４５内に示されるか否か、それゆえ、移動電話３がその加入者グループのメンバーであるか否かを判断するように動作可能である。
【００８９】
移動電話３がＨＮＢ１１に関連付けられたＣＳＧのメンバーではなく、かつアクセスがメンバーのみに制限されることがわかった場合には、移動電話３はそのＨＮＢ１１への接続を試みない。そうではなく、接続が要求され、移動電話３がＣＳＧのメンバーであると判断されるとき、移動電話登録モジュール４１は、ＨＮＢ１１に送信するための接続要求を生成するように動作可能であり、その接続過程は、当業者であれば理解するように、ホーム基地局に接続するために概ね通常通りに進行する。
【００９０】
ＨＮＢ１１はさらに、輻輳のレベルの変化を見つけるために輻輳を監視し続けるように動作可能である（ステップ６０６及び６０８）。ＨＮＢ１１のＣＳＧ管理モジュール６９は、ＣＳＧに関連付けられたシステム情報を変更して、「ＣＳＧメンバー専用」（又は「ＣＳＧメンバーのみ許可」）フラグを除去し（又はそのフラグを「ＦＡＬＳＥ」にリセットし）、新たな接続がもはやメンバー移動電話３のみに制限されないことを指示することによって、輻輳状態から非輻輳状態への変化に応答するように構成される。システム情報モジュール６８は、ＣＳＧメンバー専用フラグを用いることなく（又はそのフラグを「ＦＡＬＳＥ」にリセットして）、かつＨＮＢ１１のＣＳＧアクセスモードを識別する情報を用いて、システム情報を、概ね直ちに、又はその通常のブロードキャストサイクルに従って次の適切な時点で、及びその後の適切な時間間隔で、付近の移動電話３にブロードキャストするように動作可能である（ステップ６１０）。
【００９１】
移動電話３は、アイドルモード時に、ＨＮＢ１１によってブロードキャストされるシステム情報を受信し、そのシステム情報をブロードキャストするＨＮＢ１１のＣＳＧアクセスモードを識別する情報を抽出する（読み取る）ように動作可能である。移動電話３のＣＳＧ管理モジュール４３は、抽出された情報から、ＨＮＢ１１のＣＳＧアクセスモードを判断し、新たな接続がメンバー移動電話３のみに制限されないことを確認するように動作可能である。ＣＳＧアクセスモードがハイブリッドモードであり、かつアクセスがメンバーに制限されないと判断すると、移動電話の移動電話登録モジュール４１は、接続が要求されるときに、ＨＮＢ１１に送信するための接続要求を生成するように動作可能であり、その後、その接続要求はＨＮＢ１１によって受け入れられる（任意の他の接続判定基準にかけられる）。
【００９２】
それに応じて、ＨＮＢ１１が輻輳した状況に入るときに、都合の良いことには、ＣＳＧメンバーシップフラグを必要とすることなく、ＣＳＧアクセスモードの変更を必要とすることなく、かつ接続要求を行なう装置のメンバーシップをＨＮＢ１１が解析することを必要とすることなく、非メンバー移動電話３からの新たな接続要求が抑止される。同様に、ＨＮＢ１１の輻輳が緩和されるときに、非メンバー移動電話３からの新たな接続要求はもはや抑止されず、それゆえ、非メンバーは、再び接続するのを許可される。
【００９３】
図８及び図９に示される実施態様は、好都合にはＣＳＧメンバーシップフラグの必要性を取り除くが、それらの実施態様は、たとえば、確立された接続のためのメンバーシップ詳細を格納できるようにするために、接続要求又は他のメッセージ内にフラグを与えることを妨げるものではないことは理解されよう。そのような格納されたメンバーシップ詳細は、たとえば、確立された非メンバー接続よりも確立されたメンバー接続に優先的な処理を提供するために、及び／又は優先的な接続条件を用いて、確立された非メンバー接続をリダイレクト（又はそのリソースを制限）し、メンバーと新たな接続を確立できるようにするために役に立つことができる。
【００９４】
これらの実施態様ではいずれも、ＨＮＢ１１は、移動電話３からではなく、別のノードから（たとえば、コア電話網８内のノードから、又はＨＮＢ−ＧＷ１５から）、付近の移動電話３のＣＳＧメンバーシップに関する情報を入手することができることはさらに理解されよう。
【００９５】
（５）隣接するセルのためのＣＳＧメンバーシップ情報の入手−接続モード時のＵＥ（ＨＮＢ又は他の基地局／ＲＮＣ）
図１０は、図１の通信システム１の別の例示的な実施態様の動作を示しており、基地局（ＨＮＢ１１又は他の基地局５）及び／又は関連付けられたＲＮＣ７（該当する場合）が、他のセル９への起こり得るリロケーション／ハンドオーバーのために、確立された接続を有する移動電話３から、付近の別のセル９（ＨＮＢ１１）（たとえば、隣接セル）に関連付けられたＣＳＧの電話のメンバーシップに関する情報を入手することができる。
【００９６】
測定報告
図１０に示される実施態様によれば、移動電話３の測定モジュール４２（図２）は、移動電話３が接続モード／状態にあるときに、付近の他のセル９（たとえば、隣接／近隣セル）において測定（たとえば、周波数内、周波数間及びＲＡＴ間のモビリティ、品質、ＵＥ内部、位置決め測定等）を実行するように動作可能である（ステップ７００）。その測定は、自動的に行なうこともできるし、基地局１１、５によって、又は基地局１１、５を経由して明示的に要求することもできる。
【００９７】
移動電話３は、近隣セル９のＨＮＢ１１によってブロードキャストされるシステム情報を受信し（たとえば、図４を参照しながら説明される）、そのシステム情報をブロードキャストするＨＮＢ１１のＣＳＧアクセスモードを識別する情報（ＣＳＧインジケーター／指示及び／又はＣＳＧ識別）を抽出する（読み取る）ように動作可能である（ステップ７０２）。移動電話３のＣＳＧ管理モジュール４３は、抽出された情報から近隣ＨＮＢ１１のＣＳＧアクセスモードを判断し（ステップ７０４）、ＣＳＧアクセスモードがクローズド又はハイブリッドアクセスモードであると判断された場合には、ＣＳＧリスト４５内にそのＣＳＧが示されるか否か、それゆえ、移動電話３が近隣／隣接セルに関連付けられた加入者グループのメンバーであるか否かを判断するように動作可能である（ステップ７０６）。
【００９８】
測定モジュール４２はさらに、ステップ７００において実行された測定の詳細を含む測定報告を作成するように動作可能である（ステップ７０８）。移動電話が、近隣／隣接セルに関連付けられたＣＳＧのメンバーであると判断された場合には（ステップ７０６）、測定報告にＣＳＧメンバーシップフラグが含まれる（たとえば、「ＴＲＵＥ」に設定される）。移動電話が、近隣／隣接セルに関連付けられたＣＳＧのメンバーでないと判断された場合には（ステップ７０６）、測定報告において、ＣＳＧメンバーシップフラグは異なる値（たとえば、「ＦＡＬＳＥ」）に設定される。
【００９９】
移動電話３は、その移動電話が接続される基地局５、１１に測定報告を送信するように動作可能である（該当する場合には、さらにＲＮＣ７に送信可能である）（ステップ７１０）。
【０１００】
ハンドオーバー判定
基地局１１、５（又はＲＮＣ７）は、以下のように、ＣＳＧメンバーシップ指示の存否（又はその「ＴＲＵＥ」／「ＦＡＬＳＥ」値）を考慮に入れて、移動電話３のためのハンドオーバー／リロケーション／リダイレクション判定を行なうように動作可能である。
（ａ）近隣／隣接セル（たとえば、「ターゲット無線ネットワーク」の「ターゲットセル」）がハイブリッドアクセスモードを有する場合には、ソース無線ネットワークのＨＮＢ１１又はＲＮＣ７は、ＵＥがＣＳＧメンバーでない場合には、移動電話３をターゲットセルにハンドオーバーしないように判定することができる。
（ｂ）ターゲット無線ネットワークのセルがクローズドアクセスモードを有し、かつ移動電話３がターゲットセルのＣＳＧメンバーでないことを指示している場合には、ソース無線ネットワークのＨＮＢ１１又はＲＮＣ７は、ターゲットセルへの移動電話３のハンドオーバーを許可しない。
【０１０１】
（６）隣接／近隣セルのアクセスモード情報の入手
図１１及び図１２は、図１のシステムの実施態様の動作を示しており、ソース無線アクセスネットワークが、以下の方法のうちの少なくとも１つにおいて、隣接セルのアクセスモード（オープン、ハイブリッド又はクローズド）に関する情報を入手するように動作可能である（たとえば、上記のように、ソース無線アクセスネットワークがハンドオーバー判定を実行できるようにするため）。
（ａ）無線リソース制御測定報告を介して（たとえば、ＵＴＲＡ  ＲＡＮ（無線アクセスネットワーク）インターフェース（Ｕｕインターフェース）上で）移動電話から入手する（図１１）か、
（ｂ）２つの無線アクセスネットワーク（ＲＡＮ）ノード間のインターフェースにおいて用いられるプロトコルを介して（たとえば、ロングタームエボリューション（ＬＴＥ）のためのＥＵＴＲＡＮ  Ｘ２  アプリケーションプロトコル（Ｘ２ＡＰ）に基づいて）隣接セルから直に入手する（図１２）。
【０１０２】
（ａ）ＵＥからのアクセスモード情報入手
図１１に示される実施態様によれば、移動電話３の測定モジュール４２は、移動電話３が接続モード／状態にあるときに、付近の他のセル９（たとえば、隣接／近隣セル）において測定（たとえば、周波数内、周波数間及びＲＡＴ間のモビリティ、品質、ＵＥ内部、位置決め測定等）を実行するように動作可能である（ステップ８００）。その測定は、自動的に行なうこともできるし、基地局１１、５によって、又は基地局１１、５を経由して明示的に要求することもできる。
【０１０３】
移動電話３は、近隣セル９のＨＮＢ１１によってブロードキャストされるシステム情報を受信し（たとえば、図４を参照しながら説明される）、そのシステム情報をブロードキャストするＨＮＢ１１のＣＳＧアクセスモードを識別する情報（ＣＳＧインジケーター／指示及び／又はＣＳＧ識別）を抽出する（読み取る）ように動作可能である（ステップ８０２）。移動電話３のＣＳＧ管理モジュール４３は、抽出された情報から、近隣ＨＮＢ１１のＣＳＧアクセスモードを判断するように動作可能である（ステップ８０４）。
【０１０４】
測定モジュール４２はさらに、隣接セル９のアクセスモードを識別する情報（たとえば、ＣＳＧインジケーター／指示及び／又はＣＳＧ識別）を含む、ステップ８００において実行された測定の詳細を含む測定報告を作成するように動作可能である（ステップ８０６）。アクセスモードを判断することは他の実施態様（たとえば、図１０を参照しながら説明される）との互換性のために好都合であるが、この実施態様では、移動電話３は（上記のように）アクセスモード自体を識別する必要はなく、代わりに、アクセスモードを判断することなく、移動電話が接続される基地局１１、５に適切な情報を転送することができることは理解されよう。
【０１０５】
移動電話３は、その移動電話が接続される基地局５，１１に測定報告を送信するように動作可能である（ステップ８０８）（該当する場合には、さらにＲＮＣ７に送信可能である）。
【０１０６】
基地局１１、５（又はＲＮＣ７）は、上記で（たとえば、図１０を参照しながら）説明されたように、ＣＳＧモードを考慮に入れて、移動電話３のためのハンドオーバー／リロケーション／リダイレクション判定を行なうように動作可能である。
【０１０７】
（ｂ）隣接セルからのアクセスモード情報入手
図１２に示される実施態様によれば、第１のセルの無線アクセスネットワークノード（たとえば、基地局５、ＲＮＣ７又はＨＮＢ１１）と隣接セルの無線アクセスネットワークノード（たとえば、基地局５、ＲＮＣ７又はＨＮＢ１１）との間の接続の初期化中に、それらのノードは、それらのアクセスモードに関係する情報（たとえば、ＣＳＧインジケーター／指示及び／又はＣＳＧ識別）を交換するように動作可能である。したがって、第１のセルのネットワークノードは、ＲＡＮノード間のアプリケーション層プロトコルデータを交換するために用いられる初期化手順（たとえば、ＬＴＥにおけるＸ２セットアップ手順）中に、候補隣接セルのアクセスモードの詳細を入手するように動作可能である。アクセスモード詳細は、入手されると、将来に参照するために（たとえば、ハンドオーバーに関する判定を行なうことができるようにするために）格納される（ステップ９０４）。
【０１０８】
同様に、無線アクセスネットワークノードは、候補隣接セルのアクセスモードに関する更新された情報を受信し、抽出するように動作可能とすることができる（たとえば、ＬＴＥのためのＸ２ＡＰ  ｅＮＢ  コンフィギュレーション更新手順を用いる）。
【０１０９】
基地局１１、５（又はＲＮＣ７）は、上記で説明されたように、候補隣接セルのアクセスモードに関する入手された情報を考慮に入れて、移動電話３のためのハンドオーバー／リロケーション／リダイレクション判定を行なうように動作可能である。
【０１１０】
変更形態及び代替形態
上記で複数の詳細な実施形態が説明された。当業者であれば理解するように、上記の実施形態に対し、該実施形態において具現化される本発明から依然として利益を受けながら、複数の変更及び代替を行うことができる。
【０１１１】
上記の実施形態では、移動電話ベースの通信システムが説明された。当業者であれば理解するように、本出願において記載されるシグナリング技法を他の通信システムに用いることができる。他の通信ノード又は通信装置は、たとえば、個人用携帯情報端末、ラップトップコンピューター、ウェブブラウザー等のようなユーザー装置を含むことができる。
【０１１２】
上述した実施形態において、移動電話及びＨＮＢはそれぞれ送受信機回路部を備える。通常、この回路部は、専用ハードウェア回路によって形成される。しかしながら、いくつかの実施形態では、送受信機回路部の一部を対応するコントローラーによって実行されるソフトウェアとして実装することができる。
【０１１３】
上記の実施形態では、複数のソフトウェアモジュールが説明された。当業者であれば理解するように、それらのソフトウェアモジュールは、コンパイルされた形式でもコンパイルされていない形式でも提供することができ、コンピューターネットワークを介した信号として又は記録媒体上で、ＨＮＢ又は移動電話に供給することができる。さらに、このソフトウェアの一部又は全てによって実行される機能は、１つ又は複数の専用ハードウェア回路を用いて実行することができる。しかしながら、ソフトウェアモジュールの使用によって、基地局、ゲートウエイ及び移動電話の機能を更新するために該基地局、ゲートウエイ、及び該移動電話を更新するのが容易になるため、ソフトウェアモジュールの使用が好ましい。
【０１１４】
ＣＳＧメンバーシップ指示フラグの存否が、ＣＳＧグループのメンバーシップ及び非メンバーシップをそれぞれ表すものとして説明されるが、システムの構成部分は、逆も真である（たとえば、ＣＳＧメンバーシップ指示フラグの存否がそれぞれ非メンバーシップ及びメンバーシップを表す）ように構成することもできることは理解されよう。さらに、移動電話の電話登録モジュールは、ハイブリッドアクセスモードにおいて動作するＨＮＢのための接続要求を生成するように動作可能とすることができ、その場合、ＣＳＧメンバーシップ指示フラグは常に存在するが、移動電話３がＣＳＧメンバーであるときには第１の値（たとえば、ＴＲＵＥ）に設定され、メンバーでないときには別の値（たとえば、ＦＡＬＳＥ）に設定される。
【０１１５】
クローズド又はオープンアクセスモードＨＮＢのための接続要求にはＣＳＧメンバーシップ指示フラグを含める必要がない場合もあるが、それにもかかわらず、一方又は両方の場合の接続要求が、おそらく適切な値（たとえば、ＴＲＵＥ又はＦＡＬＳＥ）に設定されるそのようなフラグを含むこともできる（該当する場合）ことは理解されよう。
【０１１６】
明細書において、具体的な通信ノード（たとえば、ＨＮＢ、基地局、ＮｏｄｅＢ、ＲＮＣ）が説明されてきたが、その説明を、類似の機能を有する他のノードにも同じく当てはめることができることは理解されよう。詳細には、用語ＨＮＢは、任意のタイプのネットワーク（たとえば、ＬＴＥ、ＷｉＭＡＸ等）のホーム基地局を参照するために包括的に用いられること、並びに類似の機能を基地局（ＮｏｄｅＢ）及び／又はＲＮＣによって提供することができることは理解されよう。
【０１１７】
種々の他の変更は当業者には明らかであり、ここでは、これ以上詳しくは説明しない。
【０１１８】
以下は、現在提案されている３ＧＰＰ  ＬＴＥ標準規格において本発明を実施できる方法の詳細な説明である。種々の機構が不可欠であるか、又は必要であるように記述されるが、これは、たとえば、その標準規格によって課せられる他の要件に起因して、提案された３ＧＰＰ  ＬＴＥ標準規格の場合のみ当てはまる場合がある。それゆえ、ここで述べられることは、本発明を多少なりとも制限するものと解釈されるべきではない。
【０１１９】
１．序論
ハイブリッドＨＮＢにおける優先順位付けのためのＳＡ１要件が［１］において与えられる。
「ハイブリッドアクセスモードでは、Ｈ（ｅ）ＮＢリソースの不足に起因してＣＳＧメンバーにサービスを提供することができないとき、ＣＳＧを経由する非ＣＳＧメンバーの確立された通信が、ＣＳＧセルから転送されることが可能でなければならない。
ハイブリッドアクセスモードにおけるＨ（ｅ）ＮＢでは、非ＣＳＧの確立された通信がＣＳＧメンバーに及ぼす影響を最小限に抑えるために、ネットワークが、非ＣＳＧメンバーの確立されたＰＳ通信のデータレートを低減できることが可能でなければならない。」
【０１２０】
この寄稿では、優先順位付けの必要性を分析し、解決策を提案する。
【０１２１】
２．検討
［２］において、ＨＮＢアクセスモードが、以下のように、ＵＥにシグナリングされることが決定された。
・オープンアクセスモード→ＣＳＧインジケーター及びＣＳＧ識別がブロードキャストされない。
・クローズドアクセスモード→ＣＳＧインジケーター及びＣＳＧ識別が両方ブロードキャストされる。
・ハイブリッドアクセスモード→ＣＳＧインジケーターはブロードキャストされないが、ＣＳＧ識別はブロードキャストされる。
【０１２２】
このようにして、ハイブリッドＨＮＢによってサービスされるセルにキャンプオンするＵＥは、ＨＮＢのアクセスモード、及び該ＵＥがそのＨＮＢのＣＳＧメンバーであるか否かを知ることができる。
【０１２３】
ハイブリッドＨＮＢのＣＳＧメンバーであるＵＥがこのＨＮＢへのＲＲＣ接続を確立しようと試みるとき、そのＵＥは、何らかのＣＳＧメンバーシップフラグを介して、ＨＮＢにこの情報を与えることができる。ＵＥがハイブリッドＨＮＢのＣＳＧメンバーでない場合には、ＵＥはこのフラグを送信しない。
【０１２４】
このＣＳＧメンバーシップフラグに基づいて、輻輳した状況にあるＨＮＢは、ＲＲＣ接続を別のセルに転送するか（ＨＮＢにアクセスしようと試みるＵＥがＣＳＧメンバーでない場合）否か（ＨＮＢにアクセスしようと試みるＵＥがＣＳＧメンバーである場合）を迅速に決定することができる。
【０１２５】
３．提案
ハイブリッドＨＮＢにアクセスしようと試みるＵＥのＣＳＧメンバーシップを指示することになる、ＵＥからＨＮＢに送信される簡単なフラグを導入することを提案する。
【０１２６】
４．他の提案／可能性
ＳＲＡＮ−ソース無線アクセスネットワークを指示する。
ＴＲＡＮ−（ＵＥがハンドオーバーを望む）ターゲット無線アクセスネットワークを指示する。
【０１２７】
アイドルモード
１）ＵＥは、ＵＥがキャンプオンしているＳＲＡＮセル内にブロードキャストされるシステム情報を読み取る。
２）ＵＥが読み取る他の情報の中には、以下のものがある。
ＣＳＧインジケーター（又はＣＳＧ指示）ＩＥ
ＣＳＧ識別ＩＥ
これらのＩＥは以下のように設定される。
ＳＲＡＮセルがオープンアクセスモードである場合には、
ＣＳＧインジケーター（又はＣＳＧ指示）ＩＥ＝ＦＡＬＳＥ
ＣＳＧ識別ＩＥはブロードキャストされない。
ＳＲＡＮセルがハイブリッドアクセスモードである場合には、
ＣＳＧインジケーター（又はＣＳＧ指示）ＩＥ＝ＦＡＬＳＥ
ＣＳＧ識別ＩＥはブロードキャストされる。
ＳＲＡＮセルがクローズドアクセスモードである場合には、
ＣＳＧインジケーター（又はＣＳＧ指示）ＩＥ＝ＴＲＵＥ
ＣＳＧ識別ＩＥはブロードキャストされる。
３）ＵＥは、ハイブリッドアクセスモードＳＲＡＮセルにおいてＲＲＣ接続を開始する。
・ＵＥがＳＲＡＮセルのＣＳＧメンバーである場合には、ＵＥはＲＲＣ接続要求メッセージにおいてＳＲＡＮにＣＳＧメンバーシップフラグを送信する。
・ＵＥがＣＳＧメンバーでない場合には、ＵＥはＳＲＡＮにこのフラグを送信する必要はない（又はフラグはＦＡＬＳＥに設定される）。
４）ＳＲＡＮセルはメンバーシップフラグを以下のように使用する。
・ＳＲＡＮセルが輻輳した状況にあり、かつセルにアクセスしようと試みるＵＥがＣＳＧメンバーでない場合には、ＳＲＡＮはＵＥを拒否するか、又は別のセル（たとえば、隣接セル）に転送する。
・ＳＲＡＮセルが輻輳した状況にあり、かつセルにアクセスしようと試みるＵＥがＣＳＧメンバーである場合には、ＳＲＡＮセルは、そのセルにおいてＵＥを許可する。また、ＳＲＡＮは、そのセルに入ってくるＵＥ接続を受け入れるために、既存の接続を転送するか、又はそのデータレートを低減することを決定することもできる。
・接続が確立されるときに使用するために、ＳＲＡＮはこのメンバーシップフラグを格納し、後に輻輳が生じるときに、確立された接続を転送すべきであるか（又はデータレートを低減すべきであるか）を判断することができる。
【０１２８】
接続モード
１）ＵＥは接続モードにあり、隣接セルの測定を実行する。
２）ＵＥは、システム情報から、隣接セルのＣＳＧインジケーター（又はＣＳＧ指示）ＩＥ及びＣＳＧ識別ＩＥを入手する。
３）ＵＥは隣接セルにおいて実行された測定をＳＲＡＮに送信する。測定報告において、ＵＥはＣＳＧメンバーシップフラグを送信し、ＵＥが隣接セルのＣＳＧメンバーであるか否かを指示する。
４）ＳＲＡＮは、以下のように、ＨＯ判定のためにこの情報を使用することができる。
・ＴＲＡＮセルがハイブリッドアクセスモードを有する場合には、ＳＲＡＮは、ＵＥがＣＳＧメンバーでない場合に、ＵＥをＴＲＡＮにハンドオーバーしないと決定することができる。
・ＴＲＡＮセルがクローズドアクセスモードを有し、かつＵＥがＴＲＡＮセルのＣＳＧメンバーでないことを指示する場合には、ＳＲＡＮは、ＴＲＡＮセルへのＵＥのＨＯを許可しない。
【０１２９】
アクセスモード指示の入手
ＳＲＡＮがＨＯ判定を実行できるようにするために、ＳＲＡＮは隣接セルのアクセスモードに関する情報（オープン、ハイブリッド又はクローズド）を有する必要がある。
【０１３０】
ＳＲＡＮは、以下のように、この情報を入手することができる。
・ＲＲＣ測定報告（たとえば、Ｕｕインターフェース）を介してＵＥから入手するか、又は
・２つのＲＡＮノード間のインターフェースにおいて用いられるプロトコル（たとえば、ＬＴＥの場合のＸ２ＡＰ）を介して隣接セルから入手する。
【０１３１】
ＵＥからのアクセスモード指示
１）ＳＲＡＮは、ＵＥに隣接セルに関する情報を報告するように求めることができる。
２）他の情報に加えて、ＵＥは、隣接セルのアクセスモードに関する情報も報告する（ＵＥは、上記のように、システム情報から隣接セルのアクセスモードを理解する）。
３）上記で説明されたように、ＳＲＡＮは、ＨＯ判定及びアクセス制御のためにこの情報を使用する。
【０１３２】
隣接セルからのアクセスモード指示
１）ＳＲＡＮは、ＲＡＮノード間でアプリケーション層プロトコルを交換するために用いられる初期化手順（たとえば、ＬＴＥにおけるＸ２セットアップ手順）中に候補隣接セルのアクセスモードに関連する情報を受信する。
２）ＳＲＡＮは、候補隣接セルのアクセスモードに関する更新された情報を（たとえば、ＬＴＥの場合のＸ２ＡＰ  ｅＮＢコンフィギュレーション更新手順を介して）受信することができる。
３）上記で説明されたように、ＳＲＡＮは、ＨＯ判定及びアクセス制御のためにこの情報を使用する。
【０１３３】
他の可能性
アイドルモードにおいて輻輳を取り扱うための２つの他の可能性
これらの２つの可能性によれば、ＳＲＡＮノードが輻輳しているときに、そのＳＲＡＮは、非ＣＳＧメンバーがアクセスするのを防ぐことができる。これらの可能性の場合、ＳＲＡＮは、ＵＥからではなく、或る他のノード（たとえば、コアネットワーク又はＨＮＢ−ＧＷ）からＣＳＧメンバーシップに関する情報を得ることができると仮定される。
【０１３４】
第１の可能性
１）ハイブリッドＳＲＡＮが輻輳した状況にあるとき、ハイブリッドＳＲＡＮは、ＣＳＧインジケーター（又はＣＳＧ指示）ＩＥ＝ＴＲＵＥを変更することによって、アクセスモードをハイブリッドからクローズドに「その場で」変更することができる。
２）ＣＳＧメンバーのみがハイブリッドＳＲＡＮにアクセスしようと試みることになる。
【０１３５】
第２の可能性
１）ＳＲＡＮは、システム情報において指示（たとえば、「ＣＳＧメンバーのみ許可」）をブロードキャストすることができる。
２）ＵＥはこの情報を読み取り、そのＵＥがＣＳＧメンバーである場合にのみ、ＲＲＣ接続を試みることになる。
【図１】
0005488843.tif 000002
【図２】
0005488843.tif 000003
【図３】
0005488843.tif 000004
【図４】
0005488843.tif 000005
【図５】
0005488843.tif 000006
【図６】
0005488843.tif 000007
【図７】
0005488843.tif 000008
【図８】
0005488843.tif 000009
【図９】
0005488843.tif 000010
【図１０】
0005488843.tif 000011
【図１１】
0005488843.tif 000012
【図１２】
0005488843.tif 000013